【事件の表示】
　平成１１年特許願第　９１８４５号「バーコード読取部を備える端末装置」拒絶査定不服審判事件〔平成１２年１０月１３日出願公開、特開２０００−２８５１９６〕について、次のとおり審決する。
【結　論】
　本件審判の請求は、成り立たない。
【理　由】
１．手続の経緯
　本願は、平成１１年３月３１日の出願であって、平成１５年３月５日付けで拒絶理由通知がなされ、同年５月１２日付けで手続補正がなされたが、同年６月９日付けで拒絶査定がなされ、これに対し、同年７月１７日に拒絶査定に対する審判請求がなされるとともに、同年８月１８日付けで手続補正がなされたものである。
　
２．平成１５年８月１８日付けの手続補正についての補正却下の決定
［補正却下の決定の結論］
　平成１５年８月１８日付けの手続補正を却下する。
　
［理由］
（１）補正後の請求項１に係る発明
　本件手続補正により、特許請求の範囲の請求項１は、
「【請求項１】非接触でバーコードをスキャンして該バーコードを読み取る非接触バーコード読取部と、
　スキャン幅をカウントするスキャン幅カウンタと、
　スキャン中の白／黒イメージ信号幅をカウントするバー幅カウンタと、
　該非接触バーコード読取部によるスキャン方向に無関係に該バー幅カウンタのカウント値を読取順に記憶するバーコード記憶部と、
　該バーコード記憶部に記憶されているバー幅カウンタのカウント値を順次読み出して積算し、その積算値が、前記スキャン幅カウンタでカウントした値から検出されるスキャン幅の略中央位置となるときの該位置に対応するバーコードを読み取って解析する制御部とを備える端末装置であって、
　装置本体の筐体の前面に配置された表示器及び入力キーと、
　筐体内部に設けられ親局に対して読取バーコードのデータを送信する無線機と、
　筐体が保持され使用されるときに略水平になるように配置された平面状アンテナとを備え、
　前記筐体の先端部を表示器及び入力キーの配置面に対して傾斜させ、前記平面状アンテナをこの傾斜部の内部に配置し、
　前記傾斜部の先端部に前記非接触バーコード読取部を配置したことを特徴とする端末装置。」
と補正された。
　
　一方、補正前の特許請求の範囲の請求項１〜３は、次のとおりである。
「【請求項１】非接触でバーコードをスキャンして該バーコードを読み取る非接触バーコード読取部と、
　スキャン幅をカウントするスキャン幅カウンタと、
　スキャン中の白／黒イメージ信号幅をカウントするバー幅カウンタと、
　該非接触バーコード読取部によるスキャン方向に無関係に該バー幅カウンタのカウント値を読取順に記憶するバーコード記憶部と、
　該バーコード記憶部に記憶されているバー幅カウンタのカウント値を順次読み出して積算し、その積算値が、前記スキャン幅カウンタでカウントした値から検出されるスキャン幅の略中央傾斜部位置となるときの該位置に対応するバーコードを読み取って解析する制御部と、を備える端末装置。
【請求項２】装置本体の筐体の前面に配置された表示器及び入力キーと、
　筐体内部に設けられ親局に対して読取バーコードのデータを送信する無線機と、
　筐体が保持され使用されるときに略水平になるように配置された平面状アンテナとを備える、請求項１記載の端末装置。
【請求項３】筐体の先端部を表示器及び入力キーの配置面に対して傾斜させ、この傾斜部の内部に平面状アンテナを配置したことを特徴とする、請求項２記載の端末装置。」
　
　上記補正後の請求項１に記載された発明は、実質的に、上記補正前の請求項３に記載された発明において、その「傾斜部」に関して「前記傾斜部の先端部に前記非接触バーコード読取部を配置した」ことを限定するものであって、特許法第１７条の２第４項第２号の特許請求の範囲の減縮を目的とするものに該当する。
　そこで、本件手続補正後の上記請求項１に係る発明（以下、「本願補正発明」という。）が特許出願の際独立して特許を受けることができるものであるか（特許法第１７条の２第５項において準用する同法第１２６条第４項の規定に適合するか）について、以下に検討する。
　　
（２）引用例
　原査定の拒絶の理由に引用された特開平８−２６３５８４号公報（以下、「引用例１」という。）、特開平１０−４９６１３号公報（以下、「引用例２」という。）、特開平８−３２０３６８号公報（以下、「引用例３」という。）、及び原査定の備考欄において周知例として引用された特開平２−２２４１９３号公報（以下、「引用例４」という。）には、それぞれ、図面とともに次の事項が記載されている。
　
（引用例１）
Ａ．「【０００１】
【産業上の利用分野】本発明は、バーコードを読み取るバーコード読取装置に関する。」
　
Ｂ．「【００１３】本発明は、上記事情に鑑みてなされたものであり、複数のバーコードが読み込まれてしまった場合に、読み取るべきバーコード、すなわち、スキャン幅のほぼ中央にあるバーコードを選択してそのデータを出力できるバーコード読取装置を提供することを目的とするものである。
【００１４】
【課題を解決するための手段】本発明の請求項１記載のバーコード読取装置は、一つ以上のバーコードを含む対象物からの反射光の明暗を読み取って、該反射光の明暗を信号として出力する読取手段と、この読取手段から出力された信号における各バーコード部分の位置を検出する位置検出手段と、この位置検出手段に検出された位置が上記信号の中央に最も近い上記信号のバーコード部分を選択する選択手段と、この選択手段に選択されたバーコード部分のバーコードデータを出力する出力手段とを具備してなることを特徴とする。」
　
Ｃ．「【００１７】
【作用】上記請求項１記載の構成によれば、バーコード読取装置において、一度に複数のバーコードが読み取られた際に、バーコード読取装置に読み取られた信号上の各バーコード部分の位置を検出し、上記信号の中央に最も近いバーコード部分をバーコードデータとして出力するので、バーコード読取装置の走査範囲の中央部に最も近いバーコードのデータが出力されることになる。
【００１８】従って、複数のバーコードが近接して配置されている場合に、読み取るべきバーコードがバーコード読取装置の走査範囲の中央にくるようにバーコード読取装置を読み取るべきバーコードに向けることで、複数のバーコードを一度に読み込んでしまっても読み取るべきバーコードのデコード結果だけを出力することができる。」
　
Ｄ．「【００２３】
【実施例】以下に、本発明の一実施例のバーコード読取装置を図面を参照して説明する。図１は、この実施例のバーコード読取装置の概略構成を示すものである。図１に示すように、この実施例のバーコード読取装置は、バーコードＢを含む対象物からの反射光の明暗を読み取って、該反射光の明暗をデジタル信号として出力するバーコード読取回路Ｒと、このバーコード読取回路Ｒから出力された信号からデコードすべきバーコードＢの部分を選択する選択回路Ｓと、上記バーコード読取回路Ｒから出力されたデジタル信号のうちの上記選択回路Ｓに選択されたバーコードＢの部分をデコードする図示しない周知のデコード回路とからなる。
【００２４】上記バーコード読取回路Ｒは、レーザ光線の発光及び消灯とレーザ光線の走査とを制御するレーザ制御部１と、レーザ光線を発生して光源となるレーザー発生部２と、レーザ光線を走査して拡散するレーザ拡散部３と、レーザ光線が走査された部分からの反射光を受光して反射光の明暗に対応するアナログ電気信号を出力する受光部４と、上記受光部４からのアナログ電気信号の波形を補正する波形補正回路部５と、補正されたアナログ電気信号をデジタル信号に変換するＡ／Ｄ変換部６とからなるものである。
【００２５】上記レーザ制御部１は、上記レーザ発生部２とレーザ拡散部３を制御するとともに、レーザ拡散部３における一回の走査に対応するタイミング信号Ｔ（図３及び図４に図示）と、上記タイミング信号Ｔに対応して上記選択回路Ｓの後述する各カウント値をリセットするためのカウントリセット信号を出力するようになっている。
【００２６】また、上記Ａ／Ｄ変換部６においては、受光部４から出力されるアナログ電気信号を基本的にバーコードのスペース（ＳＰＡＣＥ）を示すＨＩＧＴと、バーコードのバー（ＢＡＲ）を示すＬＯＷとからなるデジタル信号のデータＤ（図３及び図４に図示）に変換する。
【００２７】なお、上記バーコード読取回路Ｒにおいては、対象物に印字されたバーコードＢのコード配列の方向に沿ってレーザ光線を走査するようになっているが、この実施例において上記レーザ光線の走査を、バーコードＢのコード配列に対して順方向の走査と逆方向の走査とが交互に行われるようしても、バーコードＢのコード配列に対して順方向の走査だけが行われるようにしても良い。
【００２８】また、バーコード読取回路Ｒにおいては、図２に示すように、レーザ光線が左右（上下）に走査されることにより、走査範囲Ｈが扇状となり、バーコード読取回路Ｒのレーザ拡散部３からの距離が離れるにつれて走査範囲Ｈが拡がるようになっており、レーザ拡散部３からの距離が読み取り可能な範囲において、複数のバーコード（図２の場合には三つ）Ｂ…を一度に読み取ってしまう可能性がある。
【００２９】上記選択回路Ｓは、バーコードＢのスタートマージンＳＭ（図３及び図４に図示）を検出するスタートマージン検出回路７と、バーコードのエンドマージンＥＭ（図３及び図４に図示）を検出するエンドマージン検出回路８と、クロック信号Ｃ（図３及び図４に図示）に基づいてレーザ光線の走査開始から各マージンＳＭ、ＥＭの検出までの時間をカウントするカウンタ９と、クロック信号Ｃを発生して上記カウンタ９に出力するクロック発生回路１０と、各マージンＳＭ、ＥＭの検出までの時間と一回の走査時間の半分の時間（カウンタ中央値Ｍ、図３及び図４に図示）との差（ΔＸ）を求めるΔＸ演算部１１と、順次入力されるΔＸと後述するΔＸ記憶部１４に既に記憶されたΔＸとを比較するΔＸ比較部１２と、カウンタ中央値Ｍを記憶したレジスタ１３と、上記ΔＸ比較部１２から出力されるΔＸを記憶するΔＸ記憶部１４と、上記ΔＸ演算部１１での演算回数をカウントする演算回数カウンタ１５と、上記ΔＸ比較部１２において入力されるΔＸが記憶されたΔＸより小さい場合に上記演算回数カウンタ１５のカウント値Ｐ（図３及び図４に図示）の１／２の値を格納するバー位置カウンタ１６とからなっている。
　・・・（中略）・・・
【００３２】上記カウンタ９は、上記データＤの開始（レーザ制御部からのタイミング信号Ｔの立ち上がり）からスタートマージン検出回路７及びエンドマージン検出回路８による各スタート及びエンドマージンＳＭ、ＥＭの検出までの時間を上記クロック発生回路１０からのクロック信号Ｃに基づいてカウントするものである。また、上記カウンタ９においては、レーザ制御部１からのカウンタリセット信号によりカウント値Ｚ（図３及び図４に図示）がリセットされて０となるようになっている。
【００３３】上記ΔＸ演算部１１においては、上記カウンタ９により計測された各スタート及びエンドマージンＳＭ、ＥＭの検出までの時間（カウント値Ｚ）からレジスタ１３に記憶されたカウンタ中央値（レーザー制御部１のタイミング信号の開始から終了までの上記カウンタ９によるカウント値ｚの１／２の値）Ｍを減算して、各スタート及びエンドマージンＳＭ、ＥＭの検出時間とカウンタ中央値Ｍとの差（ΔＸ）を求めるものである。
　・・・（中略）・・・
【００４１】次に、上述のような構成を有するバーコード読取装置におけるバーコードの読み取り方法について図３及び図４に示すデータＤの取り込みの際の各信号及び各カウント値を示すタイミングチャートと、図５に示す流れ図とを参照して説明する。
【００４２】なお、図３及び図４に示すタイミングチャートは、それぞれ複数のバーコードＢを読み込んだ際の一例であり、図３にはバーコードＢが一度の走査により二つ読み込まれた際のデータを示し、図４にはバーコードＢが一度の走査により三つ読み込まれた際のデータを示すものである。
【００４３】まず、バーコードＢの読み取りに際しては、例えば、バーコード読取装置の図示しないトリガキーの操作により、バーコードＢの読み取りが開始されることになるが、この際には、レーザー制御部１からカウンタリセット信号が出力され、カウンタ９、ΔＸ記憶部１４、演算回数カウンタ１５、バー位置カウンタ１６の値がリセットされるとともに、レーザー制御部１からのタイミング信号がＨＩＧＴとされる（ステップＳ１）。
【００４４】また、リセット時には、カウンタ９、バー位置カウンタ１６の値が０とされ、ΔＸ記憶部１４の値がカウンタ中央値Ｍとされ、演算回数カウンタ１５のカウント値Ｐが１とされる。次に、レーザ制御部１のタイミング信号がＨＩＧＴとされることにより、レーザ発生部２からのレーザ光線がレーザ拡散部３により対象物上に走査され（ステップＳ２）、受光部４がレーザ光線による反射光の明暗を電気信号として出力し、この電気信号が波形補正回路部５により補正され、次いで、補正された電気信号がＡ／Ｄ変換部６により数値化される。
【００４５】そして、Ａ／Ｄ変換部６によりデジタル信号に変換されたデータＤは、スタートマージン検出回路７及びエンドマージン検出回路８に入力される（ステップＳ３）。
【００４６】そして、スタートマージン検出回路７及びエンドマージン検出回路８においては、上記Ａ／Ｄ変換部６から出力されたデータＤから、バーコードＢの開始部分及び終了部分に配置されるスペースからなるマージンＳＭ、ＥＭを検出する（ステップＳ４）。なお、マージンＳＭ、ＥＭが検出されない場合には、ステップ１２に進む。
【００４７】そして、スタートマージン検出回路７及びエンドマージン検出回路８は、マージンＳＭ、ＥＭを検出した際に、カウンタ９のカウント値Ｚを読み込み、これをΔＸ演算部１１に出力する（ステップＳ５）。
【００４８】図３及び図４においては、上記カウンタ９のカウント値Ｚとして、スタートマージン検出回路７によりＳ１、Ｓ２、Ｓ３（図４のみ）の値が順次読み込まれ、エンドマージン検出回路８によりＥ１、Ｅ２、Ｅ３（図４のみ）の値が順次読み込まれる。
【００４９】そして、上記カウント値Ｚが入力されたΔＸ演算部１１においては、順次入力される上述のカウント値Ｚとカウンタ中央値Ｍとの差（ΔＸ）を求める。すなわち、図２に示す上記バーコード読取回路Ｒにおける走査範囲Ｈの中央の位置から、上記走査範囲Ｈ内にある各バーコードＢ…の開始位置及び終了位置までの相対距離をΔＸ（ΔＸ１、ΔＸ２、ΔＸ３…）として順次求めている。
　・・・（中略）・・・
【００７１】そして、図４の場合には、データＤ中の二つ目のバーコードＢのスタートマージンＳＭが検出された際に求められたΔＸ３以降において、二つめのバーコードＢのエンドマージンＥＭに対応するΔＸ４及び三つ目のバーコードＢのスタート及びエンドマージンＳＭ、ＥＭに対応するΔＸ５及びΔＸ６の値が、ΔＸ３よりも大きくなっているので、ΔＸ３を求めた際の演算回数カウンタ１５のカウント値Ｐである４の２／１の値がバー位置カウンタ１６に格納され、カウント値Ｉが２の状態で処理が終了することになる。
【００７２】従って、図４の場合には、バー位置カウンタ１６のカウント値Ｉである２に対応してデータＤ中の２番目のバーコードＢの部分がデコードされて出力されることになる。
　・・・（中略）・・・
【００７７】以上のように、上記実施例によれば、バーコード読取装置において、複数のバーコードＢ…を読み込んだ際に、バーコード読取装置の走査範囲Ｈの中央に最も近いバーコードＢがデコードされて出力されるので、バーコード読取装置のバーコードＢを走査して読み取る部分を、近接して配置された複数のバーコードＢ…のうちの読み取りたいバーコードＢに向けることで、読み取りたいバーコードＢを確実に選択して、データを読み取ることができる。
【００７８】すなわち、従来のバーコード読取装置においては、複数のバーコードＢ…が走査された際に、最初に走査されたバーコードＢがデコード処理されるようになっており、バーコード読取装置のバーコードＢを走査して読み取る読取部分を、近接して配置された複数のバーコードＢ…のうちの読み取りたいバーコードＢに向けた場合に、その隣のバーコードＢが先に走査されてしまい、隣のバーコードＢのデータが出力される可能性が高かったが、この実施例のバーコード読取装置によれば、読取部分が向けられたバーコードＢを必ず選択してデコードし、そのデータを出力することができる。
【００７９】また、上記実施例におては、バーコード読取装置に一度に読み取られたバーコードのうちの走査範囲Ｈの中央にあるバーコードＢを走査開始から順に読み込まれたバーコードＢの順番で示すことができるようになっており、容易に操作範囲Ｈの中央に近いバーコードＢのデータＤ上の位置を確認することができる。
【００８０】なお、上記実施例においては、スタートマージンＳＭから先に読み込まれる例を示したが、バーコードＢを、そのコード配列の逆方向から操作し、エンドマージンＥＭが先に読み込まれても上記実施例と同様に処理することができる。」
　
　上記Ｄの段落【００２５】及び【００３２】の記載によれば、「カウンタ９」は、レーザ拡散部３における一回の走査に対応するタイミング信号Ｔに対応してリセットされるものであり、走査幅をカウントするカウンタであるということができる。
　よって、上記Ａ〜Ｄの記載及び関連する図面を参照すると、引用例１には、次の発明が記載されているものと認められる。（以下、「引用例１記載の発明」という。）
「非接触でバーコードＢを走査して該バーコードＢを読み取るバーコード読取回路Ｒと、
　走査幅をカウントするカウンタ９と、
　前記バーコード読取回路Ｒによる走査方向に無関係に前記バーコードＢのスタート及びエンドマージンＳＭ、ＥＭの検出時間とカウンタ中央値Ｍとの差ΔＸを求めるΔＸ演算部１１を含み、該ΔＸの情報を基にして、前記バーコード読取装置Ｒの走査範囲Ｈの中央に最も近いバーコードＢを選択する選択回路Ｓと、
　前記選択回路Ｓにより選択されたバーコードＢをデコードして出力するデコード回路とを備えるバーコード読取装置。」
　
（引用例２）
Ｅ．「【０００１】
【発明の属する技術分野】本発明は，バーコード端末装置およびバーコード端末装置を用いた商品管理システムに関し，より詳細には，商品またはカード等に記載または貼付されているバーコード情報を，自由に持ち運びが可能な携帯型のバーコード端末装置を用いて所望の場所で読み取って蓄積し，該バーコード端末装置に蓄積したバーコード情報を，所定のインターフェース装置を介して，ホスト装置に取り込んで商品管理を行う際に使用する，そのバーコード端末装置およびバーコード端末装置を用いた商品管理システムに関する。」
　
Ｆ．「【００１５】
【課題を解決するための手段】上記の目的を達成するために，請求項１に係るバーコード端末装置は，商品またはカード等に記載または貼付されているバーコード情報を読み取るバーコード情報読取手段と，各種オペレーションの指定および数値入力を行うための操作手段と，各種情報の表示を行うための表示手段と，各種アプリケーションを記憶した記憶手段と，前記操作手段で指定されたオペレーションに基づいて，該当するアプリケーションの実行制御を行う制御手段とを備え，自由に持ち運びが可能な携帯型のバーコード端末装置において，ＰＨＳ（パーソナル・ハンディーホン・システム）通信方式で，情報の送受信を行うＰＨＳ通信手段を備え，前記制御手段が，前記ＰＨＳ通信手段を介して，前記バーコード情報読取手段で読み取ったバーコード情報および／または前記アプリケーションで処理した情報を外部装置へ送信すると共に，前記ＰＨＳ通信手段を介して，外部装置から情報を受信するものである。」
　
Ｇ．「【００２１】図１は，本実施の形態のバーコード端末装置１００の外観図を示す。バーコード情報を読み取るバーコード情報読取手段としてのレーザースキャナー部１０１と，各種オペレーションの指定および数値入力を行うための操作手段としてのキー入力部１０２と，各種情報の表示を行うための表示手段としての液晶表示部１０３と，音声情報を入力する音声情報入力手段としてのマイク１０４と，音声情報を出力する音声情報出力手段としてのスピーカ１０５と，ＰＨＳ通信方式で電波の送受信を行うためのアンテナ１０６と，を備えており，図示の如く，自由に持ち運びが可能な携帯型のバーコード端末装置として構成されている。」
　
Ｈ．図１の外観図を見ると、バーコード端末装置を構成する筐体の先端部は、液晶表示部１０３及びキー入力部１０２の配置面に対して傾斜していることが見てとれる。
　
　上記Ｅ〜Ｇの記載及び上記Ｈの事項を参酌すると、引用例２には、次の発明が記載されているものと認められる。（以下、「引用例２記載の発明」という。）
「装置本体の筐体の前面に配置された液晶表示部及びキー入力部と、
　筐体内部に設けられ外部装置に対して読み取ったバーコード情報を送信するＰＨＳ通信手段と、
　筐体から突き出たアンテナとを備え、
　前記筐体の先端部を液晶表示部及びキー入力部の配置面に対して傾斜させ、前記アンテナをこの傾斜部から突き出るように配置し、
　前記傾斜部の先端部にレーザースキャナー部を配置したバーコード端末装置。」
　
（引用例３）
Ｉ．図１〜４を見ると、外部との無線通信を行う端末装置において、平面アンテナ部１を用いた例が示されている。
　
（引用例４）
Ｊ．「第１図において、１はバーコードからの反射光を入力してバーコードのバー幅情報を電気信号に変換する変換器で、具体的には１次元ＣＣＤ（Charge Couple Device）イメージセンサ１１より構成されている。２は前記電気信号を前記バー幅情報に対応した数値データに変換する変換回路で、具体的には増幅回路２１と浮動２値化回路２２とパルス幅カウンタ２３より構成される。３はメモリ部３１により構成されたメモリであり、前記数値データを記憶する。４はメモリ３に記憶された数値データを解読処理するマイクロプロセッサ」（第２頁右下欄第１９行〜第３頁左上欄第１０行）
　
　上記Ｊの記載及び第１図を参照すると、引用例４には、次の周知技術が記載されているものと認められる。
「バーコード読み取り装置において、電気信号に変換したバーコードのバー幅情報をパルス幅カウンタにより数値データに変換してメモリ部に記憶し、該メモリ部に記憶された数値データをマイクロプロセッサにより解読処理すること。」
　
（３）対比
　本願補正発明と引用例１記載の発明とを対比すると、まず、引用例１記載の発明における「バーコードＢ」、「走査」、「バーコード読取回路Ｒ」、「カウンタ９」、「バーコード読取装置」は、それぞれ、本願補正発明における「バーコード」、「スキャン」、「非接触バーコード読取部」、「スキャン幅カウンタ」、「端末装置」に相当する。
　次に、引用例１記載の発明における「選択回路Ｓ」及び「デコード回路」よりなる構成と、本願補正発明における「制御部」は、ともに、非接触バーコード読取部（バーコード読取装置Ｒ）によるスキャン（走査）方向に無関係にスキャン（走査）幅の略中央位置に対応するバーコードを読み取って解析する構成である点においては、共通するものである。
　
　よって、本願補正発明と引用例１記載の発明とは、ともに、
「非接触でバーコードをスキャンして該バーコードを読み取る非接触バーコード読取部と、
　スキャン幅をカウントするスキャン幅カウンタと、
　該非接触バーコード読取部によるスキャン方向に無関係にスキャン幅の略中央位置に対応するバーコードを読み取って解析する制御部とを備える端末装置。」
である点で一致し、次の点で相違する。
　
　相違点１：「非接触バーコード読取部によるスキャン方向に無関係にスキャン幅の略中央位置に対応するバーコードを読み取って解析する」ための具体的構成として、本願補正発明においては、「スキャン中の白／黒イメージ信号幅をカウントするバー幅カウンタ」及び「非接触バーコード読取部によるスキャン方向に無関係に該バー幅カウンタのカウント値を読取順に記憶するバーコード記憶部」を有し、「バーコード記憶部に記憶されているバー幅カウンタのカウント値を順次読み出して積算し、その積算値が、スキャン幅カウンタでカウントした値から検出されるスキャン幅の略中央位置となるときの該位置に対応するバーコードを読み取って解析する」ようにしているのに対し、引用例１記載の発明においては、具体的構成が異なる点。
　
　相違点２：本願補正発明においては、「装置本体の筐体の前面に配置された表示器及び入力キー」と、「筐体内部に設けられ親局に対して読取バーコードのデータを送信する無線機」と、「筐体が保持され使用されるときに略水平になるように配置された平面状アンテナ」とを備え、「筐体の先端部を表示器及び入力キーの配置面に対して傾斜させ、平面状アンテナをこの傾斜部の内部に配置し、前記傾斜部の先端部に非接触バーコード読取部を配置」しているのに対し、引用例１記載の発明においては、機械的構成について明らかでない点。
　
（４）判断
　そこで、上記相違点１，２について検討する。
　
（相違点１について）
　引用例１記載の発明において、「カウンタ９」は、走査幅をカウントするカウンタであるとともに、データＤの開始（レーザ制御部からのタイミング信号Ｔの立ち上がり）からスタートマージン検出回路７及びエンドマージン検出回路８による各スタート及びエンドマージンＳＭ、ＥＭの検出までの時間をクロック発生回路１０からのクロック信号Ｃに基づいてカウントするものでもある。（段落【００３２】の記載参照。）
　「データＤの開始からスタート及びエンドマージンＳＭ、ＥＭの検出までの時間」をカウントするということは、エンドマージンＥＭの検出時のカウント値からスタートマージンＳＭの検出時のカウント値を差し引けば、実質的に「スキャン中の白／黒イメージ信号幅」に対応するカウント値になるということは、当業者にとって明らかであり、引用例１記載の発明において、「カウンタ９」は、「走査幅をカウントするカウンタ」であるとともに、「スキャン中の白／黒イメージ信号幅をカウントするバー幅カウンタ」の機能をも奏しているということができる。よって、「スキャン中の白／黒イメージ信号幅をカウントするバー幅カウンタ」を設けた点が格別のこととは認められない。
　ここで、引用例１記載の発明は、バーコードＢのスタート及びエンドマージンＳＭ、ＥＭの検出時間とカウンタ中央値Ｍとの差ΔＸの情報を基にして、バーコード読取装置Ｒの走査範囲Ｈの中央に最も近いバーコードＢを選択するようなものであり、バー幅カウンタのカウント値を読取順に記憶するバーコード記憶部に記憶されているバー幅カウンタのカウント値を順次読み出して積算し、その積算値が、スキャン幅カウンタでカウントした値から検出されるスキャン幅の略中央位置となるときの該位置に対応するバーコードを読み取って解析するようなものではないが、引用例４の周知技術によれば、「バーコード読み取り装置において、電気信号に変換したバーコードのバー幅情報をパルス幅カウンタにより数値データに変換してメモリ部に記憶し、該メモリ部に記憶された数値データをマイクロプロセッサにより解読処理すること」は周知であり、この周知技術を参酌すれば、「バー幅カウンタのカウント値」を記憶部に記憶し、その記憶したカウント値を所望の処理の解析に利用するようにすることは、当業者が適宜になし得ることにすぎないものと認められる。
　したがって、引用例１記載の発明において、「スキャン中の白／黒イメージ信号幅をカウントするバー幅カウンタ」及び「非接触バーコード読取部によるスキャン方向に無関係に該バー幅カウンタのカウント値を読取順に記憶するバーコード記憶部」を設け、「バーコード記憶部に記憶されているバー幅カウンタのカウント値を順次読み出して積算し、その積算値が、スキャン幅カウンタでカウントした値から検出されるスキャン幅の略中央位置となるときの該位置に対応するバーコードを読み取って解析する」ようにすることは、上記周知技術を参酌することにより、当業者が適宜に設計できる事項にすぎないものと認められる。
　
（相違点２について）
　引用例２記載の発明によれば、バーコード端末装置において、装置本体の筐体の前面に配置された液晶表示部（表示器）及びキー入力部（入力キー）と、筐体内部に設けられ外部装置に対して読み取ったバーコード情報（読取バーコードのデータ）を送信するＰＨＳ通信手段（無線機）と、アンテナとを備え、前記筐体の先端部を液晶表示部（表示器）及びキー入力部（入力キー）の配置面に対して傾斜させ、前記アンテナをこの傾斜部に配置し、前記傾斜部の先端部にレーザースキャナー部（非接触バーコード読取部）を配置することは、公知の技術である。
　ここで、上記引用例２記載の発明において、読み取ったバーコード情報を送信するのは「ＰＨＳ通信手段」であり、その送信先である「外部装置」を「親局」とすることは、ごく普通のことにすぎないものと認められる。
　また、上記引用例２記載の発明において、「アンテナ」として平面状アンテナを用いることは、外部との無線通信を行う端末装置において平面アンテナを用いる引用例３記載の発明を参酌することにより、当業者が適宜になし得ることにすぎず、また、その場合、引用例２の図１の形状からして、該「平面状アンテナ」を、筐体が保持され使用されるときに略水平になるように、かつ傾斜部の内部に配置されるようなものとすることは、ごく普通に考えられる配置にすぎないものと認められる。
　したがって、引用例１記載の発明において、引用例２記載の発明を引用例３記載の発明をも参酌して適用し、「装置本体の筐体の前面に配置された表示器及び入力キー」と、「筐体内部に設けられ親局に対して読取バーコードのデータを送信する無線機」と、「筐体が保持され使用されるときに略水平になるように配置された平面状アンテナ」とを設け、「筐体の先端部を表示器及び入力キーの配置面に対して傾斜させ、平面状アンテナをこの傾斜部の内部に配置し、前記傾斜部の先端部に非接触バーコード読取部を配置」するようにすることは、当業者が適宜に設計できる事項にすぎないものと認められる。
　
　そして、本願補正発明の構成によってもたらされる効果も、引用例１〜３に記載の発明及び引用例４に見られる周知技術から当業者ならば容易に予測することができる程度のものであって、格別のものとはいえない。
　したがって、本願補正発明は、引用例１〜３に記載の発明及び引用例４に見られる周知技術に基いて、当業者が容易に発明をすることができたものであるから、特許法第２９条第２項の規定により、特許出願の際独立して特許を受けることができないものである。
　
（５）むすび
　よって、本件手続補正は、特許法第１７条の２第５項で準用する同法第１２６条第４項の規定に違反するものであり、特許法第１５９条第１項で準用する同法第５３条第１項の規定により却下されるべきものである。
　
３．補正却下の決定を踏まえた検討
（１）本願発明
　平成１５年８月１８日付けの手続補正は、上記のとおり却下されたので、本願の請求項３に係る発明（以下、「本願発明」という。）は、平成１５年５月１２日付け手続補正書の特許請求の範囲の請求項３に記載されたとおりものと認める。
　
（２）引用例
　これに対して、原査定の拒絶の理由に引用された引用例１〜３、及び原査定の備考欄において周知例として引用された引用例４とその記載事項は、上記２．（２）に記載したとおりである。
　
（３）対比・判断
　本願発明は、実質的に、上記２．で検討した本願補正発明における「傾斜部」に関して、「前記傾斜部の先端部に前記非接触バーコード読取部を配置した」との限定を省いたものである。
　そうすると、本願発明の構成要件を全て含み、さらに特定の限定を施したものに相当する本願補正発明が、上記２．（４）に記載したとおり、引用例１〜３に記載の発明及び引用例４に見られる周知技術に基いて、当業者が容易に発明をすることができたものであるから、本願発明も、同様の理由により、引用例１〜３に記載の発明及び引用例４に見られる周知技術に基いて、当業者が容易に発明をすることができたものである。
　
（４）むすび
　したがって、本願発明は、引用例１〜３に記載の発明及び引用例４に見られる周知技術に基いて、当業者が容易に発明をすることができたものであるから、特許法第２９条第２項の規定により特許を受けることができない。
　よって、結論のとおり審決する。